(57)【要約】【課題】食品を、載せたまま、手を汚すことなく、また、手を火傷することなく、手間をかけずに手軽に、食べることができる、食品トレーを、提供すること。【解決手段】食品トレーは、食品を載せるための底壁１と、この底壁１の外周縁に立設している後側壁２、左側壁３、前側壁４、右側壁５とを備えている。後側壁２は、把持領域５１を有し、この把持領域５１は、底壁１側に折り曲げられることによって底壁１の支持領域１３と共に食品の一部を把持するようになっている。底壁１と左側壁３と右側壁５には、直線状に延在する第１，第２の加工線Ｌ２１、Ｌ２２が設けられている。第１領域部１１は、第１の加工線Ｌ２１に沿って、切除可能に又は折り曲げ可能になっている。第２領域部１２は、第２の加工線Ｌ２２に沿って、切除可能に又は折り曲げ可能になっている。【選択図】図１
2015128997.tif 000002
【特許請求の範囲】
【請求項１】
食品を、載せて、その一部を把持して、食するのに使用する、食品トレーであって、
食品を載せるための載置部と、この載置部の一端に立設している端片部と、を備え、
前記端片部は、折り曲げられることによって前記載置部の一部と共に食品の一部を把持するための、把持領域を有し、
前記載置部には、加工線が設けられており、この加工線に沿って、前記載置部の一部が切除可能に又は折り曲げ可能になっている、ことを特徴とする食品トレー。
【請求項２】
前記加工線は、前記載置部に少なくとも２本設けられている、請求項１に記載の食品トレー。
【請求項３】
前記加工線は、前記端片部に対して略平行に設けられている、請求項１又は２に記載の食品トレー。
【請求項４】
前記載置部は、底壁と、この底壁の外周縁に立設している側壁と、を有し
前記底壁は、前記端片部と前記側壁とによって取り囲まれている、請求項１〜３のいずれか１つに記載の食品トレー。
【請求項５】
前記端片部と前記載置部の前記側壁とは、平面視四角形状の開口を形成するように、配置されており、
前記開口の開口縁の少なくとも１つの角には、内向きに突出可能な折曲片が設けられており、
前記折曲片は、内向きに突出すると前記載置部に載せられている食品の上方に位置するようになっている、請求項４に記載の食品トレー。
【請求項６】
前記折曲片は、前記開口縁の前記角部のうち、互いに対向する少なくとも２つの角部に設けられている、請求項５に記載の食品トレー。
【請求項７】
一枚の紙製のシートを折り曲げて一体的に形成されている、請求項１〜６のいずれか１つに記載の食品トレー。
【発明の詳細な説明】
【技術分野】
【０００１】
本発明は、食品を載置して食するのに使用される、食品トレーに、関するものである。
【背景技術】
【０００２】
従来の食品トレーとしては、特許文献１に記載されたものがある。この食品トレーでは、板紙を打抜いて形成される略矩形の底壁の周縁各辺から側部を連設し、隣り合う側部同士を連結している。そして、この食品トレーは、前記底壁に食品を載置でき、前記底壁に食品を載置した状態で、電子レンジによる加熱調理に使用できるようになっている。
【先行技術文献】
【特許文献】
【０００３】
【特許文献１】特開２００７−１５７１７号公報
【発明の概要】
【発明が解決しようとする課題】
【０００４】
しかしながら、従来の食品トレーでは、食品を食品トレーに載置したまま食べることができないので、食品を食品トレーから取り出す必要がある。このとき、食品を素手で直接掴むと、手が汚れてしまう場合があるという問題がある。また、食品トレーに載置した食品を電子レンジ等によって加熱調理した後、この加熱調理された食品を素手で直接掴むと、手が火傷する場合があるという問題がある。一方、加熱調理された食品を素手で直接掴まずに、フォークやトング等の調理器具を用いたり、別の食品トレー等に移したりしてもよいが、調理器具や別の食品トレー等を準備しなければならず、手間がかかって、食品を手軽に食べられないという問題がある。
【０００５】
そこで、本発明は、食品を、載せたまま、手を汚すことなく、また、手を火傷することなく、手間をかけずに手軽に、食べることができる、食品トレーを、提供することを目的とする。
【課題を解決するための手段】
【０００６】
本発明は、食品を、載せて、その一部を把持して、食するのに使用する、食品トレーであって、食品を載せるための載置部と、この載置部の一端に立設している端片部と、を備え、前記端片部は、折り曲げられることによって前記載置部の一部と共に食品の一部を把持するための、把持領域を有し、前記載置部には、加工線が設けられており、この加工線に沿って、前記載置部の一部が切除可能に又は折り曲げ可能になっている、ことを特徴としている。
【発明の効果】
【０００７】
本発明においては、前記端片部を折り曲げることにより、把持領域と載置部の一部とによって、手を汚すことなく食品の一部を把持できる。また、食品を載置部に載置して電子レンジ等によって加熱調理した場合でも、把持領域と載置部の一部とによって、手を火傷することなく食品の一部を把持できる。また、載置部に設けられた加工線に沿って、載置部の一部を切除したり、折り曲げたりすることによって、載置部に載置された食品の一部を載置部から露出させ、この食品の一部を食べることができるので、調理器具や別の食品トレー等を準備する必要がない。したがって、本発明によれば、食品を、食品トレーに載せたまま、手を汚すことなく、また、手を火傷することなく、手間をかけずに手軽に、食べることができる。
【図面の簡単な説明】
【０００８】
【図１】本発明の一実施形態の食品トレーの斜視図である。
【図２】前記食品トレーの折曲片を折り曲げ、前記食品トレーの開口縁の内側に向かって突出した状態を示す斜視図である。
【図３】前記食品トレーの展開平面図である。
【図４】前記食品トレーに食品を載置した状態を説明する図である。
【図５】前記食品トレーの第１領域部を切除すると共に、前記食品トレーの側部の把持領域で食品を把持する方法を説明する図である。
【図６】前記第１領域部を切除すると共に、前記把持領域によって食品の一部を把持した状態を説明する斜視図である。
【図７】図５の前記食品トレーの状態からさらに前記食品トレーの第２領域部を切除した状態を説明する図である。
【図８】食品を食べ終わった後の前記食品トレーを説明する図である。
【図９】前記第１領域部を折り曲げると共に、前記把持領域によって食品の一部を把持した状態を説明する斜視図である。
【発明を実施するための形態】
【０００９】
以下、本発明を図示の実施形態により詳細に説明する。
【００１０】
図１は、本発明の一実施形態の食品トレーの斜視図である。
【００１１】
図１に示すように、前記食品トレーは、食品を載せるための載置部の底壁１と、この底壁１の一端に立設している端片部の一例としての後側壁２とを備えている。
【００１２】
底壁１は、平面視略正方形状である。底壁１の前記一端以外の３つの外周縁には、それぞれ載置部の側壁としての左側壁３、前側壁４、右側壁５が立設している。底壁１は、後側壁２と、左側壁３と、前側壁４と、右側壁５とによって取り囲まれている。
【００１３】
後側壁２は、後側壁２の折線Ｌ１の延在方向の中央部から上方側、すなわち、底壁１側と反対側に突出する把持領域５１を有している。この把持領域５１は、底壁１側に折り曲げられることによって底壁１の一部と共に、底壁１上の食品の一部を把持するようになっている。把持領域５１の前記延在方向の両端から、後側壁２の中央領域２０に向かって、前記延在方向に直交する方向に、切込線Ｌ５１、Ｌ５２が設けられている。
【００１４】
底壁１と左側壁３と右側壁５には、直線状に延在する第１，第２の加工線Ｌ２１、Ｌ２２が設けられている。これら第１，第２の加工線Ｌ２１、Ｌ２２は、後側壁２に対して略平行に設けられており、ミシン目になっている。
【００１５】
第１の加工線Ｌ２１は、左側壁３において、上から下に向かって徐々に前方側に傾いて延在している。第１の加工線Ｌ２１は、右側壁５において、上から下に向かって徐々に前方側に傾いて延在している。第１の加工線Ｌ２１は、底壁１において、後側壁２と略平行に延在している。
【００１６】
第２の加工線Ｌ２２は、後側壁２と第１の加工線Ｌ２１との間に位置し、第１の加工線Ｌ２１に対して平行に延在している。底壁１と左側壁３と右側壁５のうち第２の加工線Ｌ２２よりも先端側、すなわち側部４側の領域と側部４とが、先端領域１０を構成している。一方、底壁１のうち、第２の加工線２２よりも後側壁２側の領域が、支持領域１３を構成している。
【００１７】
先端領域１０は、第１領域部１１と第２領域部１２とを有している。第１領域部１１は、先端領域１０のうち第１の加工線Ｌ２１よりも上記先端側の部分である。第１領域部１１は、第１の加工線Ｌ２１に沿って、切除可能に又は折り曲げ可能になっている。第２領域部１２は、先端領域１０のうち、第１の加工線２１と第２の加工線２２との間の部分である。第２領域部１２は、第１領域部１１を切除し又は折り曲げた後、さらに第２の加工線Ｌ２２に沿って、切除可能に又は折り曲げ可能になっている。
【００１８】
後側壁２と、左側壁３と、前側壁４と、右側壁５とは、平面視略正方形状の開口６を形成するように、配置されている。開口６は、４つの角部６１、６２、６３、６４を有している。開口６の開口縁６０は、後側壁２、左側壁３、前側壁４、および右側壁５の上端側、すなわち底壁１の反対側に位置している。
【００１９】
開口縁６０の角部６１には、底壁１と略平行に延在する切断線Ｌ３１が設けられている。この切断線Ｌ３１より上方側には、内向き、すなわち開口縁６０の内側に向かって突出可能な折曲片３１が形成されている。角部６１と同様に、切断線Ｌ３２、Ｌ３３、Ｌ３４が、角部６２、６３、６４に、底壁１と略平行に延在するように設けられている。折曲片３１と同様に、折曲片３２、３３、３４が、切断線Ｌ３２、Ｌ３３、Ｌ３４より上方側に、開口縁６０の内側に向かって突出可能に形成されている。
【００２０】
図２は、前記食品トレーの折曲片３１、３２、３３、３４を折り曲げ、開口縁６０の内側に向かって突出した状態を示す斜視図である。
【００２１】
図２に示すように、折曲片３１、３２、３３、３４は、角部６１、６２、６３、６４から開口縁６０の内側に向かって、それぞれ、く字状に突出した状態で、底壁１に載せられている食品（図示しない）の上方に位置するようになっている。
【００２２】
図３は、前記食品トレーの展開平面図である。前記食品トレーは、一枚のシート状の板紙から切り出して形成されるブランク１００からなっている。ブランク１００は、底壁１と、後側壁２と、左側壁３と、前側壁４と、右側壁５と、耳片２１、２２、２３、２４とを有している。
【００２３】
耳片２１、２４は、後側壁２の左右両端に設けられている。耳片２１は、折線Ｌ１１によって折り返し可能になっている。後側壁２および耳片２１には、折線Ｌ１１に対して略直交するように切断線Ｌ３１が設けられている。耳片２４は、折線Ｌ１２によって折り返し可能になっている。後側壁２および耳片２４には、折線Ｌ１２に対して略直交するように切断線Ｌ３４が設けられている。
【００２４】
耳片２２、２３は、前側壁４の左右両端に設けられている。耳片２２は、折線Ｌ１３によって折り返し可能になっている。前側壁４および耳片２２には、折線Ｌ１３に対して略直交するように切断線Ｌ３２が設けられている。耳片２３は、折線Ｌ１４によって折り返し可能になっている。前側壁４および耳片２３には、折線Ｌ１４に対して略直交するように切断線Ｌ３３が設けられている。
【００２５】
次に、ブランク１００から前記食品トレーを組み立てる方法について説明する。まず、後側壁２、左側壁３、前側壁４、右側壁５を、底壁１に対して折線Ｌ１、Ｌ２、Ｌ３、Ｌ４を谷折りして立設する。次に、耳片２１、２４を、後側壁２に対して折線Ｌ１１、Ｌ１２を谷折りして、それぞれ隣接する左側壁３、右側壁５の外側面に貼り付ける。次に、耳片２２、２３を、側部４に対して折線Ｌ１３、Ｌ１４を谷折りして、それぞれ隣接する左側壁３、右側壁５の外側面に貼り付ける。このように、前記食品トレーは、ブランク１００を折り曲げて一体的に形成される。
【００２６】
次に、図４から図８によって、前記食品トレーの使用方法について説明する。
【００２７】
図４は、前記食品トレーの底壁に食品を載置した状態を説明する平面図である。
【００２８】
図４に示すように、まず、底壁１に食品９０を載せる。この食品９０は、後側壁２、左側壁３、前側壁４、右側壁５によって周囲が取り囲まれている。
【００２９】
開口６の開口縁６０の折曲片３１、３２、３３、３４は、食品９０よりも上方に位置している。
【００３０】
次に、図５に示すように、前記食品トレーの第１領域部１１を切除すると共に、前記食品トレーの後側壁２の把持領域５１と底壁１の支持領域１３とによって食品９０を把持する。
【００３１】
先端領域１０のうち第１領域部（図示しない）が第１の加工線Ｌ２１に沿って切除されている。食品９０の一部は、第２領域部１２から第１の加工線Ｌ２１を超えて露出している。
【００３２】
後側壁２の把持領域５１は、内側、すなわち食品９０側に折り曲げられて、底壁１の支持領域１３と共に食品９０の一部を把持できるようになっている。把持領域５１は、後側壁２の切込線Ｌ５１、Ｌ５２によって、後側壁２の中央領域２０に対して折り曲げ易くなっている。
【００３３】
図６は、図５の前記食品トレーの状態において、把持領域５１と支持領域１３とによって食品９０を把持したところを示す斜視図である。
【００３４】
次に、図７に示すように、図５の前記食品トレーの状態から、さらに前記食品トレーの第２領域部（図示しない）を第２の加工線Ｌ２２によって切除する。食品９１は、食品９０の上記露出部が食べられた後の状態である。食品９１の一部は、支持領域１３から第２の加工線Ｌ２２を超えて露出している。
【００３５】
最後に、図８に示すように、食品９１を食べ終わった後の前記食品トレーは、後側壁２と、左側壁３の一部と、右側壁５の一部と、底壁１の支持領域１３とを有している。
【００３６】
上記構成において、後側壁２の把持領域５１を折り曲げることにより、把持領域５１と支持領域１３とによって、手を汚すことなく食品９０の一部を把持できる。また、食品９０を底壁１に載置して電子レンジ等によって加熱調理した場合でも、把持領域５１と支持領域１３とによって、手を火傷することなく食品９０の一部を把持できる。また、底壁１に設けられた第１，第２の加工線Ｌ２１、Ｌ２２に沿って、第１、第２領域部を切除したり、折り曲げたりすることによって、底壁１に載置された食品９０の一部を底壁１から露出させ、この食品９０の一部を食べることができるので、調理器具や別の食品トレー等を準備する必要がない。したがって、本発明によれば、食品９０を、食品トレーに載せたまま、手を汚すことなく、また、手を火傷することなく、また、手を汚すことなく、手間をかけずに手軽に、食べることができる。
【００３７】
また、底壁１と左側壁３と右側壁５には、直線状に延在する第１，第２の加工線Ｌ２１、Ｌ２２が設けられている。このため、第１の加工線Ｌ２１に沿って先端領域１０の第１領域部１１を切除し又は折り曲げた後、さらに第２の加工線Ｌ２２に沿って、第２領域部１２を切除し又は折り曲げることができる。したがって、底壁１に載置された食品９０のうち、底壁１から露出させる量を調整することができて、食品９０をより食べやすくすることができる。
【００３８】
また、第１，第２の加工線Ｌ２１、Ｌ２２は、後側壁２に対して略平行に設けられているので、第１，第２の加工線Ｌ２１、Ｌ２２に沿って先端領域１０の第１、第２領域部１１、１２を簡単に切除し又は折り曲げることができる。
【００３９】
また、食品９０は、後側壁２、左側壁３、前側壁４、右側壁５によって周囲が取り囲まれているので、後側壁２、左側壁３、前側壁４、右側壁５によって食品９０が底壁１の外側に移動するのを防ぐことができる。
【００４０】
また、折曲片３１、３２、３３、３４は、開口縁６０の内側に向かって突出した状態で、底壁１に載せた食品９０が開口６から前記食品トレーの外に出るのを防ぐことができる。折曲片３１、３２、３３、３４が開口縁６０の内側に向かって突出した状態のとき、底壁１に食品９０を載せたままでも、折曲片３１、３２、３３、３４の上に前記食品トレーを重ねて置くことができる。このため、食品９０が載せられた状態で前記食品トレーを積み重ねることができて、省スペース化を図ることができる。
【００４１】
また、前記食品トレーは、ブランク１００を折り曲げて一体的に形成されているので、前記食品トレーをブランク１００から容易に組み立てることができる。
【００４２】
以上、本発明の具体的な実施形態について説明したが、本発明は前記実施形態に限定されるものではなく、本発明の範囲内で種々変更して実施することができる。
【００４３】
なお、前記実施形態の食品トレーでは、底壁１は、後側壁２、左側壁３、前側壁４、右側壁５によって取り囲まれているが、本発明では、底壁の一端に側部が立設していればよく、底壁が側部によって取り囲まれていなくてもよい。
【００４４】
また、前記実施形態の食品トレーでは、底壁１は、平面視略正方形状であるが、本発明では、平面視において長方形状や、台形状、五角部形状等の他の形状であってもよい。
【００４５】
また、前記実施形態の食品トレーでは、第１領域部１１が第１の加工線Ｌ２１に沿って切除され、第２領域部１２が第２の加工線Ｌ２２に沿って切除されているが、これに限られない。本発明では、図９に示すように、左側壁３および右側壁５が第１の加工線Ｌ２１に沿って切断され、左側壁３および右側壁５における第１領域部１１と第２領域部１２とが分離されると共に、底壁（図示しない）における第１領域部１１が、加工線Ｌ２１に沿って食品９０と反対側に折り曲げられてもよい。
【００４６】
また、前記実施形態の食品トレーでは、第１，第２の加工線Ｌ２１、Ｌ２２は、直線状に延在しているが、本発明では、のこぎり波状や矩形波状、正弦波状などの他の形状の加工線でもよい。
【００４７】
また、前記実施形態の食品トレーでは、第２の加工線Ｌ２２は、第１の加工線Ｌ２１に対して平行に延在しているが、本発明では、平行に延在していなくてもよい。
【００４８】
また、前記実施形態の食品トレーでは、第１，第２の加工線Ｌ２１、Ｌ２２が底壁１と左側壁３と右側壁５に設けられているが、本発明では、加工線が、載置部に、１本のみ設けられていてもよいし、３本以上設けられていてもよい。
【００４９】
また、前記実施形態の食品トレーでは、第１，第２の加工線Ｌ２１、Ｌ２２が底壁１と左側壁３と右側壁５に設けられているが、これに限られない。本発明では、加工線が底壁のみに設けられていたり、底壁および対向する２つの側部のうちの一方の側部のみに設けられていてもよい。
【００５０】
また、前記実施形態の食品トレーでは、折曲片３１、３２、３３、３４が開口縁６０の角部６１、６２、６３、６４に設けられていたが、これに限られない。本発明では、例えば、折曲片が、開口縁の少なくとも１つの角部に設けられていてもよい。また、開口縁の角部のうち、互いに対向する少なくとも２つの角部にのみ設けられていてもよい。また、折曲片が側部の中央領域に設けられていてもよいし、どこにも設けられていなくてもよい。
【００５１】
また、前記実施形態の食品トレーでは、ブランク１００を折り曲げて一体的に前記食品トレーを形成しているが、これに限られない。本発明では、例えば、ブランクが、複数枚のシート状の板紙をつなぎ合わせたものであってもよい。また、食品トレーを樹脂部材など紙以外の部材から成形してもよい。
【符号の説明】
【００５２】
１  底壁
２  後側壁
３  左側壁
４  前側壁
５  右側壁
６  開口
１１  第１領域部
１２  第２領域部
１３  支持領域
３１、３２、３３、３４  折曲片
５１  把持領域
６０  開口縁
６１、６２、６３、６４  角部
９０、９１  食品
Ｌ２１  第１の加工線
Ｌ２２  第２の加工線
【図１】
2015128997.tif 000003
【図２】
2015128997.tif 000004
【図３】
2015128997.tif 000005
【図４】
2015128997.tif 000006
【図５】
2015128997.tif 000007
【図６】
2015128997.tif 000008
【図７】
2015128997.tif 000009
【図８】
2015128997.tif 000010
【図９】
2015128997.tif 000011